(57)【要約】【課題】車両組付け時には電線回転方向の向きを規制でき、車両組付け後には振動等により電線が回転するのを阻止できる電線一体クランプマーク及びワイヤハーネスを提供する。【解決手段】電線一体クランプマーク１００は、電線１７の延在方向における所定位置に電線１７を全周に亘って包囲して電線１７と一体に樹脂材によってモールド成形されたマーク本体１９が、マーク本体１９の外周面に形成される非円筒状部２１と、非円筒状部２１よりも半径方向外側に突出するようにマーク本体１９における電線１７の延在方向の両端側に形成されるフランジ部２３と、を備える。【選択図】図１
2018042319.tif 000002
【特許請求の範囲】
【請求項１】
電線の延在方向における所定位置に前記電線を全周に亘って包囲して前記電線と一体に樹脂材によってモールド成形されたマーク本体が、
前記マーク本体の外周面に形成される非円筒状部と、
前記非円筒状部よりも半径方向外側に突出するように前記マーク本体における前記電線の延在方向の両端側に形成されるフランジ部と、
を備えることを特徴とする電線一体クランプマーク。
【請求項２】
請求項１に記載の電線一体クランプマークであって、
前記マーク本体は、前記電線の延在方向に直交する断面の外形状が、線対称となるように形成されていることを特徴とする電線一体クランプマーク。
【請求項３】
請求項１または請求項２に記載の電線一体クランプマークであって、
前記非円筒状部は、モールド成形時のゲートに対応するゲート側面と前記電線を挟んで反対側の反ゲート側面に、リブを有する肉抜き部が形成されていることを特徴とする電線一体クランプマーク。
【請求項４】
請求項１〜３の何れか１項に記載の電線一体クランプマークを備えたことを特徴とするワイヤハーネス。
【発明の詳細な説明】
【技術分野】
【０００１】
本発明は、電線一体クランプマーク及びワイヤハーネスに関する。
【背景技術】
【０００２】
自動車等に用いられているワイヤハーネスは、１本或いは束ねられた複数本の電線が、車両搭載機器のフレームや車体パネルなどの支持部に、種々の固定具（クリップ、係止具、係止具付保護管等）を用いることで固定される。
【０００３】
ワイヤハーネスは、複数本の電線がビニルテープ等によって纏められて幹線や支線に分けられたり、それぞれの末端にコネクタや端子が取り付けられたりして構成される。そして、ワイヤハーネスは、予め所定長で製造されているため、車両の所定位置に取り付けられないと、相手側コネクタや相手側端子部との接続が行えない場合が生じる。そこで、ワイヤハーネスには、車両の所定位置への取り付け作業を容易にするため、電線一体クランプマークが取り付けられる場合がある（例えば、特許文献１参照）。
【０００４】
図９の（Ａ）に示すように、特許文献１に開示された電線一体クランプマーク５００は、小径電線５０１と大径電線５０３の２本の電線５０５を全周に亘って包囲するように樹脂材によって一体にモールド成形されたマーク本体５０７が、マーク本体５０７の外周面に形成される円筒状部５０９と、マーク本体５０７における電線５０５の延在方向の両端側に形成されるフランジ部５１１と、を有する。電線一体クランプマーク５００は、円筒状部５０９に取り付けたＰクランプ５１３によって車体パネル等に固定された後には電線５０５に対しての移動が規制される。
【０００５】
Ｐクランプ５１３は、図９の（Ｂ）に示すように、クランプ本体部５２７の締付け片部５１５と固定片部５１７とが、双方のボルト貫通孔を貫通する取付ボルト５１９によって締められることにより、円弧状部５１６が電線一体クランプマーク５００の円筒状部５０９を包囲して締め付ける。この際、取付ボルト５１９は、車体パネルやブラケットに穿設されたクランプ取付穴に貫通され、車体パネル等とＰクランプ５１３とを共締めする。これにより、ワイヤハーネス５２１は、電線一体クランプマーク５００を介して、Ｐクランプ５１３により車体パネル等の所定位置に固定される。
【先行技術文献】
【特許文献】
【０００６】
【特許文献１】特開２０１６−１４４２７９号公報
【発明の概要】
【発明が解決しようとする課題】
【０００７】
しかしながら、上述の電線一体クランプマーク５００は、車両組付け時、車両に配索されたワイヤハーネス５２１をＰクランプ５１３によりボルト締めして固定するが、マーク本体５０７の外周面が円筒状部５０９であるため、電線一体クランプマーク５００の電線回転方向の向きを規制できず、電線５０５が捩れた状態で取付けられてしまう虞がある。また、車両組付け後、車両走行時の振動によって電線５０５に加わる力による揺れ等により、電線一体クランプマーク５００がＰクランプ５１３に対して相対的に回転して捩れが発生する虞がある。このように、電線５０５に捩れが発生すると、芯線に負荷がかかり、電気的導通性能を低下させる可能性がある。
【０００８】
本発明は上記状況に鑑みてなされたもので、その目的は、車両組付け時には電線回転方向の向きを規制でき、車両組付け後には振動等により電線が回転するのを阻止できる電線一体クランプマーク及びワイヤハーネスを提供することにある。
【課題を解決するための手段】
【０００９】
本発明に係る上記目的は、下記構成により達成される。
（１）  電線の延在方向における所定位置に前記電線を全周に亘って包囲して前記電線と一体に樹脂材によってモールド成形されたマーク本体が、前記マーク本体の外周面に形成される非円筒状部と、前記非円筒状部よりも半径方向外側に突出するように前記マーク本体における前記電線の延在方向の両端側に形成されるフランジ部と、を備えることを特徴とする電線一体クランプマーク。
【００１０】
上記（１）の構成の電線一体クランプマークによれば、電線の延在方向の所定位置に、電線を全周に亘って包囲するマーク本体が樹脂材によって一体にモールド成形される。これにより、電線一体クランプマークは、電線の延在方向に高い位置精度で取り付けられ、位置ずれを生じることもない。マーク本体の外周面には、非円筒状部が形成される。マーク本体の非円筒状部は、クランプ部材の弧状部に包囲されて締め付けられる被締付面となる。クランプ部材は、弧状部の内周形状が、非円筒状部の外周形状に沿うものが使用される。このため、マーク本体の非円筒状部がクランプ部材の弧状部に締付固定される電線一体クランプマークは、車両組付け時、マーク本体の回転方向の向きが規制される。そこで、クランプ部材を用いて締付固定される電線一体クランプマークは、電線が捩れた状態で取り付けられてしまうことがない。また、電線一体クランプマークは、非円筒状部がクランプ部材の弧状部に締め付けられるので、車両組付け後、電線に加わる力による揺れ等によっても、マーク本体がクランプ部材に対して回転することがない。その結果、車両組付け後における電線の捩れ発生を防止できる。
【００１１】
（２）  上記（１）に記載の電線一体クランプマークであって、前記マーク本体は、前記電線の延在方向に直交する断面の外形状が、線対称となるように形成されていることを特徴とする電線一体クランプマーク。
【００１２】
上記（２）の構成の電線一体クランプマークによれば、クランプ部材における弧状部の両端に設けられている固定片部と締付け片部との重ね方向が上下逆となるように、クランプ部材を反転させて使用することができる。そのため、部品点数を削減することができる。
【００１３】
（３）  上記（１）または（２）に記載の電線一体クランプマークであって、前記非円筒状部は、モールド成形時のゲートに対応するゲート側面と前記電線を挟んで反対側の反ゲート側面に、リブを有する肉抜き部が形成されていることを特徴とする電線一体クランプマーク。
【００１４】
上記（３）の構成の電線一体クランプマークによれば、反ゲート側面に形成された肉抜き部は、底面が電線に近接し、リブはこの底面から隆起して形成される。マーク本体は、モールド成形時、肉抜き部の底面を成形する成形型の成形面が電線に近接する。一方、この成形面には、リブを成形するためのリブ成形溝が電線から離反方向に設けられる。これにより、溶融樹脂は、リブ成形溝を通って電線の反ゲート面側に流動しやすくなる。つまり、電線を挟んでゲートと反対側に形成される肉抜き部の成形性を良好にできる。更に、リブは、クランプ部材の弧状部の内周側に設けられるゴム等のクッション材に食い込むことで、マーク本体の非円筒状部を締め付けるクランプ部材の締付力にばらつきが生じても、クランプ部材に対するマーク本体の回転を抑制して電線の保持性能を確保できる。
【００１５】
（４）  上記（１）〜（３）の何れか１つの電線一体クランプマークを備えたことを特徴とするワイヤハーネス。
【００１６】
上記（４）の構成のワイヤハーネスによれば、車両組付け時に、クランプ部材は、電線一体クランプマークの電線回転方向の向きを規制できる。これにより、ワイヤハーネスは、クランプ部材を使用した車両固定時に、電線の延在方向及び回転方向に高い位置精度で取り付けできる。その結果、車両組み付け時の電線の捩れを防止できる。ワイヤハーネスは、相手側コネクタや相手側端子部との接続が容易となり、車両への取り付け作業性を向上させることができる。また、ワイヤハーネスは、車両組付け後、電線の延在方向や回転方向の位置ずれを防止できる。これにより、振動等による電線の捩れも防止できる。
【発明の効果】
【００１７】
本発明に係る電線一体クランプマーク及びワイヤハーネスによれば、車両組付け時には電線回転方向の向きを規制でき、車両組付け後には振動等により電線が回転するのを阻止できる。
【００１８】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１９】
【図１】本発明の一実施形態に係る電線一体クランプマークのゲート側面を電線と共に見た斜視図である。
【図２】図１に示した電線一体クランプマークをゲート側面と反対の反ゲート側面から見た斜視図である。
【図３】図１に示した電線一体クランプマークのＩＩＩ−ＩＩＩ断面矢視図である。
【図４】図１に示した電線一体クランプマークをモールド成形するマイクロ成形機の全体斜視図である。
【図５】図１に示した電線一体クランプマークに使用されるクランプ部材の斜視図である。
【図６】図１に示した電線一体クランプマークを備えるワイヤハーネスの平面図である。
【図７】図１に示した電線一体クランプマークにクランプ部材が固定された状態を表した斜視図である。
【図８】図７に示した電線一体クランプマーク及びクランプ部材のＶＩＩＩ−ＶＩＩＩ断面矢視図である。
【図９】（Ａ）は従来の電線一体クランプマークの斜視図、（Ｂ）は（Ａ）の電線一体クランプマークがクランプ部材により固定された状態の斜視図である。
【発明を実施するための形態】
【００２０】
以下、本発明に係る実施形態を図面を参照して説明する。
図１は本発明の一実施形態に係る電線一体クランプマーク１００を電線１７と共に表した斜視図である。
本実施形態に係る電線一体クランプマーク１００は、車両に搭載される各種のワイヤハーネスに適用される。以下の実施形態では、電線一体クランプマーク１００をワイヤハーネスであるバッテリーケーブル１１に用いた例を説明する。バッテリーケーブル１１は、例えば小径電線１３と大径電線１５の２本の電線１７を有する。電線１７は、撚り線または単線からなる導体１２が、絶縁性の外被１４で覆われた被覆電線である。バッテリーケーブル１１は、この電線１７の所定位置に、電線一体クランプマーク１００が一体にモールド成形により取り付けられて構成される。
【００２１】
電線一体クランプマーク１００は、電線１７を全周に亘って包囲するマーク本体１９が、マーク本体１９の外周面に形成される非円筒状部２１と、マーク本体１９における電線１７の延在方向の両端側に形成されるフランジ部２３と、を主要な構成として有する。
【００２２】
マーク本体１９は、電線１７の延在方向の所定位置に、所定回転方向の向きで樹脂材によって一体にモールド成形され、電線１７を全周に亘って包囲する。本実施形態において、マーク本体１９は、軸線に沿う方向の少なくとも一部分の位置に、しずく形の断面形状を有する非円柱形状に成形されている。
【００２３】
非円筒状部２１は、電線１７の延在方向に直交する断面の外形状が、しずく形の柱形状となるように形成されている。しずく形は、大径円と小径円を、相互が共有する一対の接線で接続した外形状を有する。なお、本発明に係る電線一体クランプマークにおいて、非円筒状部とは、しずく形の他、長円形、楕円形、半円形、三角形、方形、平行四辺形、菱形、台形、正多角形、その他の不等辺多角形等を含む。
【００２４】
また、本実施形態において、フランジ部２３は、非円筒状部２１よりも半径方向外側に突出するように、非円筒状部２１よりも大きい外径を有する鍔状に形成され、マーク本体１９における電線１７の延在方向の両端側に設けられている。すなわち、本実施形態の電線一体クランプマーク１００は、マーク本体１９の両端に一対のフランジ部２３を有する糸巻き状に形成されている。
なお、本発明に係るフランジ部は、マーク本体１９の外周面に沿って連続した鍔状のフランジ部２３に限らず、マーク本体１９の外周面に沿って間欠に突出された複数の突起により構成することもできる。
【００２５】
マーク本体１９は、しずく形の外周面を有することで、非平行な一対の平坦な外表面を有する。一対の外表面は、相互の間隔が徐々に広がり、この外表面の間隔が大きい側に大径電線１５がモールドされ、外表面の間隔が小さい側に小径電線１３がモールドされている。つまり、余剰の厚肉部が少なくなるように成形されている。
【００２６】
マーク本体１９は、一対の平坦な外表面に、後述する肉抜き部２４，２５をそれぞれ有する。本実施形態において、肉抜き部２４，２５は、一対の平坦な外表面のそれぞれに設けられる。なお、本発明に係る肉抜き部は、一対の外表面の何れか一方に設けられてもよい。肉抜き部は、例えば外表面の中央部分に、外表面を枠状に残して凹設される。
【００２７】
図１及び図２に示すように、電線一体クランプマーク１００は、非円筒状部２１における一対の平坦な外表面において、モールド成形時のゲートに対応するゲート側面（図１中、上面）に平坦面部からなる肉抜き部２４が形成され、ゲート側面と電線１７を挟んで反対側の反ゲート側面（図２中、上面）に、リブ２７を有する凹面部からなる肉抜き部２５が形成されている。リブ２７は、例えば４つの肉抜き部２５の底面が方形状である場合、底面から隆起した十字状に成形することができる。そこで、ゲート側面に形成された肉抜き部２４の中央には、ゲート跡３０が形成される（図１参照）。
【００２８】
図３に示すように、非円筒状部２１は、ゲート側面及び反ゲート側面の肉抜き部２４，２５の底面が、小径電線１３と大径電線１５とに近接する。これにより、非円筒状部２１は、余剰な厚肉部が排除されている。その結果、非円筒状部２１は、成形時のひけが生じにくくなっている。非円筒状部２１は、成形時のひけによる不規則な凹みが外表面に生じることによるクランプ固定時の密着性の低下（ガタつき）が生じないように構成されている。
【００２９】
一方、非円筒状部２１の外表面が電線１７に接近することで、ゲート側面と反対側の電線１７の反ゲート側面側は、成形時の溶融樹脂の流動性が低下する。そこで、非円筒状部２１は、反ゲート側面の肉抜き部２５の底面に、リブ２７が設けられている。このリブ２７は、電線１７から離反方向に隆起する。従って、リブ２７は、モールド成形時における溶融樹脂の流路空間を、電線１７と、成形型３１の成形面（下側キャビティ５５）との間に確保することができる。
【００３０】
また、電線一体クランプマーク１００は、電線１７の延在方向に直交する断面の外形状が、線対称となるように形成されている。本実施形態では、図３に示すように、小径電線１３と大径電線１５の中心を通る線分ＣＬで線対称な形状となる。なお、「線対称な形状」には、上記リブ２７等の比較的小さな凹凸は含めないものとする。
【００３１】
図４は電線一体クランプマーク１００をモールド成形するマイクロ成形機２９の全体斜視図である。
次に、電線一体クランプマーク１００をバッテリーケーブル１１に一体にモールド成形するマイクロ成形機２９について説明する。
図４に示すように、バッテリーケーブル１１に電線一体クランプマーク１００を一体にモールド成形するためのマイクロ成形機２９は、電動機等の外部動力なしに作業員一人で操作可能な成形機であって、金属や合成樹脂製の成形型３１と、図示しない型締め装置と、成形型３１に溶融樹脂を加圧注入する低圧射出装置３３と、から構成されている。
【００３２】
低圧射出装置３３は、ポリプロピレン等の合成樹脂材を加熱して溶融するヒータが設けられた加熱筒３５と、加熱筒内の溶融樹脂を図示しないノズルから射出するプランジャ３７と、プランジャ３７を前進させる射出シリンダ３９と、射出シリンダ３９を駆動するハンドル４１と、加熱筒３５の加熱温度を所望の温度に保持する温調器４３と、を有し、これらが台座４５に立設する装置支柱４７に支持されている。
【００３３】
なお、本実施形態におけるマイクロ成形機２９とは、１回の射出成形で成形できる樹脂の量が最大で１０ｇ程度のものであって、且つ、成形型３１の型締め時に、エアシリンダ又はリンク等を用いて手動で行うことができるものをいう。従って、低圧射出装置３３は、電動機やエア等の外部動力によって射出シリンダ３９を駆動するものであってもよい。より具体的には、マイクロ成形機２９としては、例えば、特開２０１０−２６０２９７号公報、特開２０１２−３０４２９号公報及び特開２０１３−１０３４９２号公報などに開示された公知の「射出成形装置」を用いることができる。
【００３４】
成形型３１は下型４９と上型５１を備えた水平割金型であって、下向きの上型５１の金型分割面（下面）には、上側キャビティ５３が形成されている。また、上向きの下型４９の金型分割面（上面）には、上側キャビティ５３と同形状の下側キャビティ５５が形成されている。そして、下型４９と上型５１とが型締めされて合わせられることにより、これら下側キャビティ５５と上側キャビティ５３が一体となってキャビティ５７を内部に画成する。このキャビティ５７の内部に電線１７が配置された状態で成形型３１が型締めされる。
上型５１は、キャビティ５７と低圧射出装置３３のノズルとを連通させるゲート（図示せず）を備えている。
【００３５】
型締工程では、成形型３１が、キャビティ５７に電線１７を配置して型締めされる。これにより、キャビティ５７と電線１７との間には、樹脂材の充填空間が画成される。成形型３１は、型締めした際の充填空間の容量が数ｃｍ3となっている。なお、本実施形態では、成形型３１が水平割金型のものについて説明したが、垂直割金型であってもよい。
【００３６】
型締工程に続く射出工程では、溶融した合成樹脂がゲートから低圧で射出される。キャビティ５７に射出された溶融樹脂は、充填空間に充填される。本実施形態では、充填空間が非円柱形状の糸巻き状とされている。この充填空間に充填された樹脂材が固化することで、電線１７の所定位置に、電線一体クランプマーク１００が一体となってモールド成形される。
【００３７】
電線１７に一体にモールド成形された電線一体クランプマーク１００は、規定される電線保持強度の範囲では電線１７に対して移動しない固定強度で取り付けられる。換言すれば、電線一体クランプマーク１００は、規定される電線保持強度以上の力を加えることによって、電線１７に沿って移動可能とすることができる。この場合においても、電線一体クランプマーク１００は、非円筒状部２１に取り付けたクランプ５９（クランプ部材）によって車体パネル等に固定された後には電線１７に対しての移動が規制される。
【００３８】
クランプ５９は、図５に示すように、従来のＰクランプ５１３（図９の（Ｂ）参照）と異なるものが用いられる。すなわち、クランプ本体部６１が帯状の金属板からなり、弧状部６３の両端に短冊状の固定片部６５と締付け片部６７とがそれぞれ連続する略Ｒ字形状に形成され、弧状部６３の内周空間が非円柱形状となったクランプ部材である。すなわち、従来のＰクランプ５１３は、弧状部６３の内周空間が円柱形状であったのに対し、本実施形態のクランプ５９は、弧状部６３の内周空間が非円柱形状となる。この非円柱形状は、上記非円筒状部２１のしずく形の外表面に沿う形状となる。クランプ５９の締付け片部６７と固定片部６５とには、取付ボルト８０が挿通されるボルト貫通孔６９が穿設されている。
【００３９】
また、クランプ５９の弧状部６３の周囲には、ゴム製のクッション材７１が設けられている。クッション材７１は、マーク本体１９の軸線に沿う方向の断面形状が略Ｏ形状となり、弧状部６３の全周面を覆う。なお、クッション材は、マーク本体１９の軸線に沿う方向の断面形状が略Ｃ形状となるように、弧状部６３の内周面を覆ってもよい。
【００４０】
本実施形態に係る電線一体クランプマーク１００は、クッション材７１のゴムよりも硬い樹脂材（ポリプロピレン等）で成形されている。これにより、クランプ５９は、マーク本体１９の非円柱形状に締め付けられると、クッション材７１が弾性変形し、非円筒状部２１の肉抜き部２４，２５に密接する。また、肉抜き部２５側に膨出したクッション材７１には、リブ２７が食い込む。
【００４１】
クランプ５９は、図７及び図８に示すように、締付け片部６７と固定片部６５とが、双方のボルト貫通孔６９を貫通する取付ボルト（締結具）８０により締められることによって、電線一体クランプマーク１００の非円筒状部２１を包囲して締め付ける。この際、取付ボルト８０は、車体パネルやブラケットに穿設されるクランプ取付穴に貫通され、車体パネル等とクランプ５９を共締めする。これにより、バッテリーケーブル１１は、電線一体クランプマーク１００を介して、クランプ５９により車体パネル等の所定位置に固定される。
【００４２】
図６に示すように、本実施形態に係るバッテリーケーブル１１は、複数本（図例では２本）の電線１７がビニルテープ７３によって纏められて幹線や支線に分けられたり、それぞれの末端にコネクタ７５や端子７７が取り付けられたりして構成される。バッテリーケーブル１１は、予め所定長で製造されている。バッテリーケーブル１１には、電線１７の延在方向の所定位置に、所定の回転方向の向きで電線一体クランプマーク１００がモールド成形されている。バッテリーケーブル１１は、電線一体クランプマーク１００が所定位置にモールド成形されることにより、車両に対する取付位置精度を向上させることができる。
【００４３】
次に、上記した構成の作用を説明する。
本実施形態に係る電線一体クランプマーク１００は、電線１７の延在方向の所定位置に、電線１７を全周に亘って包囲するマーク本体１９が樹脂材によって一体にモールド成形される。これにより、電線一体クランプマーク１００は、電線１７の延在方向に高い位置精度で取り付けられ、位置ずれを生じることもない。また、マーク本体１９の外周面には、非円筒状部２１が形成される。電線一体クランプマーク１００は、マーク本体１９の非円筒状部２１が、クランプ５９の弧状部６３に包囲されて締め付けられる被締付面となる。クランプ５９は、弧状部６３の内周形状が、非円筒状部２１の外周形状に沿うものが使用される。電線１７の延在方向に直交する非円筒状部２１の断面の外形状が、例えばしずく形状であれば、弧状部６３の内周形状も同じしずく形状となる。このため、マーク本体１９の非円筒状部２１がクランプ５９の弧状部６３に締付固定される電線一体クランプマーク１００は、車両組付け時、マーク本体１９の回転方向の向きが規制される。そこで、クランプ５９を用いて締付固定される電線一体クランプマーク１００は、電線１７が捩れた状態で取り付けられてしまうことがない。
【００４４】
また、電線一体クランプマーク１００は、マーク本体１９が樹脂材によって一体にモールド成形され、非円筒状部２１がクランプ５９の弧状部６３に締め付けられるので、車両組付け後、電線１７に加わる力による揺れ等によっても、マーク本体１９がクランプ５９に対して回転することがない。その結果、車両組付け後における電線１７の捩れ発生を防止できる。
【００４５】
また、マーク本体１９は、電線１７の全周に亘って一体にモールド成形されているので、走行時に電線１７とマーク本体１９との間に砂等が侵入することがない。そこで、電線１７は、走行時、マーク本体１９との間に入った砂等により外被１４が磨耗する虞がない。
【００４６】
更に、本実施形態の電線一体クランプマーク１００では、フランジ部２３によって、マーク本体１９とクランプ５９との軸線方向の相対移動が規制されるので、クランプ５９の取り付け位置精度が一層向上し、また、マーク本体１９がクランプ５９から脱落することを確実に防止できる。
【００４７】
また、電線一体クランプマーク１００は、電線１７の延在方向に直交する断面の外形状が、線対称となうように形成されるので、クランプ５９における弧状部６３の両端に設けられている固定片部６５と締付け片部６７との重ね方向が上下逆となるように、クランプ５９を反転させて使用することができる。そのため、部品点数を削減することができる。
【００４８】
また、電線一体クランプマーク１００によれば、反ゲート側面に形成された肉抜き部２５は、底面が電線１７に近接し、リブ２７はこの底面から隆起して形成される。マーク本体１９は、モールド成形時、肉抜き部２５の底面を成形する成形型３１の成形面である下側キャビティ５５が電線１７に近接する。一方、この下側キャビティ５５には、リブ２７を成形するためのリブ成形溝が電線１７から離反方向に設けられる。これにより、溶融樹脂は、リブ成形溝を通って電線１７の反ゲート面側に流動しやすくなる。つまり、電線１７を挟んでゲートと反対側に形成される肉抜き部２５の成形性を良好にできる。更に、リブ２７は、クランプ５９の弧状部６３の内周側に設けられるゴム等のクッション材７１に食い込むことで、マーク本体１９の非円筒状部２１を締め付けるクランプ５９の締付力にばらつきが生じても、クランプ５９に対するマーク本体１９の回転を抑制して電線１７の保持性能を確保できる。
【００４９】
また、本実施形態に係るバッテリーケーブル１１によれば、車両組付け時に、クランプ５９は、電線一体クランプマーク１００の電線回転方向の向きを規制できる。これにより、バッテリーケーブル１１は、クランプ５９を使用した車両固定時に、電線１７の延在方向及び回転方向に高い位置精度で取り付けできる。その結果、車両組み付け時の電線１７の捩れを防止できる。バッテリーケーブル１１は、相手側コネクタや相手側端子部との接続が容易となり、車両への取り付け作業性を向上させることができる。また、バッテリーケーブル１１は、車両組付け後、電線１７の延在方向や回転方向の位置ずれを防止できる。これにより、振動等による電線１７の捩れも防止できる。
【００５０】
従って、本実施形態に係る電線一体クランプマーク１００及びバッテリーケーブル１１によれば、車両組付け時には電線回転方向の向きを規制でき、車両組付け後には振動等により電線１７が回転するのを阻止できる。
【００５１】
ここで、上述した本発明に係る電線一体クランプマーク及びワイヤハーネスの実施形態の特徴をそれぞれ以下に簡潔に纏めて列記する。
［１］  電線（１７）の延在方向における所定位置に前記電線を全周に亘って包囲して前記電線と一体に樹脂材によってモールド成形されたマーク本体（１９）が、前記マーク本体の外周面に形成される非円筒状部（２１）と、前記非円筒状部よりも半径方向外側に突出するように前記マーク本体における前記電線の延在方向の両端側に形成されるフランジ部（２３）と、を備えることを特徴とする電線一体クランプマーク（１００）。
［２］  上記［１］に記載の電線一体クランプマークであって、前記マーク本体は、前記電線の延在方向に直交する断面の外形状が、線対称となるように形成されていることを特徴とする電線一体クランプマーク（１００）。
［３］  上記［１］または［２］に記載の電線一体クランプマークであって、前記非円筒状部は、モールド成形時のゲートに対応するゲート側面と前記電線を挟んで反対側の反ゲート側面に、リブ（２７）を有する肉抜き部（２５）が形成されていることを特徴とする電線一体クランプマーク（１００）。
［４］  上記［１］〜［３］の何れか１つの電線一体クランプマーク（１００）を備えたことを特徴とするワイヤハーネス（バッテリーケーブル１１）。
【００５２】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００５３】
１１…バッテリーケーブル（ワイヤハーネス）
１７…電線
１９…マーク本体
２１…非円筒状部
２３…フランジ部
２５…肉抜き部
２７…リブ
５９…クランプ（クランプ部材）
１００…電線一体クランプマーク
【図１】
2018042319.tif 000003
【図２】
2018042319.tif 000004
【図３】
2018042319.tif 000005
【図４】
2018042319.tif 000006
【図５】
2018042319.tif 000007
【図６】
2018042319.tif 000008
【図７】
2018042319.tif 000009
【図８】
2018042319.tif 000010
【図９】
2018042319.tif 000011